(57)【特許請求の範囲】
【請求項１】
複数の第１走査線と、複数の第２走査線とを有する液晶表示パネルと、
前記複数の第１走査線に走査電圧を供給する第１走査線駆動回路と、
前記複数の第２走査線に走査電圧を供給する第２走査線駆動回路と、
複数の光源を備えたバックライトと、
前記バックライトの点灯を制御する点灯制御回路と、
前記第１走査線駆動回路と前記第２走査線駆動回路と前記点灯制御回路とを制御する表示制御回路とを備える液晶表示装置であって、
Ｍを２以上の整数（Ｍ≧２）とするとき、前記複数の第１走査線は、Ｍ個のグループに分割され、
Ｎを２以上の整数（Ｎ≧２）とするとき、前記複数の第２走査線は、Ｎ個のグループに分割され、
前記表示制御回路は、前記第１走査線駆動回路が、前記複数の第１走査線の中から順次１つの走査線に選択走査電圧を供給し、同時に、前記第２走査線駆動回路が、前記複数の第２走査線の中から順次１つの走査線に選択走査電圧を供給するよう、前記第１走査線駆動回路及び前記第２走査線駆動回路を制御し、
前記バックライトは、前記複数の第１走査線に対応する領域が、Ｍ個の領域に分割されるとともに、前記複数の第２走査線に対応する領域が、Ｎ個の領域に分割され、
前記点灯制御回路は、前記第１走査線駆動回路が、前記複数の第１走査線のｊ（１≦ｊ≦Ｍ）番目のグループ内の前記第１走査線に選択走査電圧を供給しているときに、前記バックライトのｊ番目の領域を消灯し、ｊ番目のグループ内の前記第１走査線に選択走査電圧を供給していないときに、前記バックライトのｊ番目の領域を点灯し、かつ、前記第２走査線駆動回路が、前記複数の第２走査線のｋ（１≦ｋ≦Ｎ）番目のグループ内の前記第２走査線に選択走査電圧を供給しているときに、前記バックライトのｋ番目の領域を消灯し、ｋ番目のグループ内の前記第２走査線に選択走査電圧を供給していないときに、前記バックライトのｋ番目の領域を点灯し、
前記Ｍ番目の領域と前記Ｎ番目の領域は隣接し、
前記点灯制御回路は、前記バックライトのＭ番目の領域と前記バックライトのＮ番目の領域とが同時に消灯、点灯状態となるよう制御し、
前記点灯制御回路によって同時に消灯、点灯状態となるよう制御される前記Ｍ番目の領域と前記Ｎ番目の領域の両方が点灯するときの点灯時間は、前記ｊ（１≦ｊ≦Ｍ−１）番目の領域と前記ｋ（１≦ｋ≦Ｎ−１）番目の領域が点灯するときの点灯時間よりも短いことを特徴とする液晶表示装置。
【請求項２】
前記液晶表示パネルは、前記複数の第１走査線と交差する複数の第１映像線と、
前記複数の第２走査線と交差する複数の第２映像線とを有し、
前記複数の第１映像線と前記複数の第２映像線のそれぞれは、１本の映像線を、前記複数の第１走査線と前記複数の第２走査線との間で切断したように配置されていることを特徴とする請求項１に記載の液晶表示装置。
【請求項３】
前記複数の第１映像線に映像電圧を供給する少なくとも１個の第１映像線駆動回路と、
前記複数の第２映像線に映像電圧を供給する少なくとも１個の第２映像線駆動回路とを有し、
前記第１映像線駆動回路と前記第２映像線駆動回路とは、前記液晶表示パネルの相対向する２辺に配置され、
前記第１映像線駆動回路から前記第２映像線駆動回路に向かう方向を第１走査方向、前記第２映像線駆動回路から前記第１映像線駆動回路に向かう方向を第２走査方向とするとき、前記第１走査線駆動回路から前記複数の第１走査線の前記各走査線に順次選択走査電圧を供給する方向は、前記第１走査方向であり、
前記第２走査線駆動回路から前記複数の第２走査線の前記各走査線に順次選択走査電圧を供給する方向は、前記第２走査方向であることを特徴とする請求項１または請求項２に記載の液晶表示装置。
【請求項４】
前記複数の第１映像線に映像電圧を供給する少なくとも１個の第１映像線駆動回路と、
前記複数の第２映像線に映像電圧を供給する少なくとも１個の第２映像線駆動回路とを有し、
前記第１映像線駆動回路と前記第２映像線駆動回路とは、前記液晶表示パネルの相対向する２辺に配置され、
前記第１映像線駆動回路から前記第２映像線駆動回路に向かう方向を第１走査方向、前記第２映像線駆動回路から前記第１映像線駆動回路に向かう方向を第２走査方向とするとき、前記第１走査線駆動回路から前記複数の第１走査線の前記各走査線に順次選択走査電圧を供給する方向は、前記第２走査方向であり、
前記第２走査線駆動回路から前記複数の第２走査線の前記各走査線に順次選択走査電圧を供給する方向は、前記第１走査方向であることを特徴とする請求項１または請求項２に記載の液晶表示装置。
【請求項５】
前記バックライトのｊ番目の領域、およびｋ番目の領域は、少なくとも１個の冷陰極蛍光灯を有し、
前記点灯制御回路は、前記バックライトのｊ番目の領域、およびｋ番目の領域における、前記少なくとも１個の冷陰極蛍光灯の消灯・点灯を制御することを特徴とする請求項１ないし請求項４のいずれか１項に記載の液晶表示装置。
【請求項６】
前記バックライトのｊ番目の領域、およびｋ番目の領域は、少なくとも１個の発光ダイオードを有し、
前記点灯制御回路は、前記バックライトのｊ番目の領域、およびｋ番目の領域における、前記少なくとも１個の発光ダイオードの消灯・点灯を制御することを特徴とする請求項１ないし請求項５のいずれか１項に記載の液晶表示装置。
【発明の詳細な説明】
【技術分野】
【０００１】
本発明は、液晶表示装置に係り、特に、動画表示に適した表示装置に関する。
【背景技術】
【０００２】
ディスプレイ装置を、特に動画表示の観点で分類した場合、インパルス応答型ディスプレイ装置とホールド応答型ディスプレイ装置とに大別される。インパルス応答型ディスプレイ装置とは、ブラウン管の残光特性のように、輝度応答が走査直後から低下するタイプであり、ホールド応答型ディスプレイとは、液晶ディスプレイ装置のように、表示データに基づく輝度を次の走査まで保持し続けるタイプである。
ホールド応答型ディスプレイ装置の特徴としては、静止画の場合はちらつきのない良好な表示品質を得ることができるが、動画の場合には移動する物体の周囲がぼやけて見える、所謂、動画ぼやけが発生し、著しく表示品質が低下するという課題がある。
この動画ぼやけの発生要因は、物体の移動に伴い視線を移動する際、輝度のホールドされた表示画像に対して移動前後の表示イメージを観測者が補間する、所謂、網膜残像に起因するため、表示ディスプレイ装置の応答速度をどれだけ向上させても動画ぼやけは完全に解消しない。
これを解決するために、バックライトを間欠点灯する方法が知られている。このバックライトを間欠点灯する方法の一つとして、バックライトを複数の領域に分割し、当該分割した領域を順番に点灯する、スキャンバックライト駆動方法が知られている（下記、特許文献２参照）。
一方、液晶表示パネルの高解像度による書き込み不足、あるいは、１２０Ｈｚの高速駆動を行うために、液晶表示パネルを２分割し、上下２分割したそれぞれの液晶表示パネルを同時に駆動する２行同時駆動方法も知られている（下記、特許文献１参照）。
【０００３】
なお、本願発明に関連する先行技術文献としては以下のものがある。
【特許文献１】特開２００２−３７２９５６号公報
【特許文献２】特開２００７−１２３２３３号公報
【発明の開示】
【発明が解決しようとする課題】
【０００４】
前述したように、液晶表示装置の駆動方法として、スキャンバックライト駆動方法、あるいは、２行同時駆動方法は、それぞれ前述の特許文献１、あるいは、特許文献２に記載されている。
しかしながら、前述の各特許文献には、液晶表示装置の駆動方法として、２行同時駆動方法と、スキャンバックライト駆動方法とを同時に適用することは記載されていない。仮に、２行同時駆動方法に、従来のスキャンバックライト駆動方法を適用すると、従来のスキャンバックライト駆動方法は、２行同時駆動を考慮していないため、液晶パネルとパックライトの駆動が同期しなくなってしまい、動画特性を向上させることはできないだけでなく、通常の表示も破綻してしまう恐れがある。
本発明は、前記従来技術の問題点を解決するためになされたものであり、本発明の目的は、２行同時駆動方法と、スキャンバックライト駆動方法とを同時に採用した液晶表示装置を提供することにある。
本発明の前記ならびにその他の目的と新規な特徴は、本明細書の記述及び添付図面によって明らかにする。
【課題を解決するための手段】
【０００５】
本願において開示される発明のうち、代表的なものの概要を簡単に説明すれば、下記の通りである。
（１）複数の第１走査線と、複数の第２走査線とを有する液晶表示パネルと、前記複数の第１走査線に走査電圧を供給する第１走査線駆動回路と、前記複数の第２走査線に走査電圧を供給する第２走査線駆動回路と、複数の光源を備えたバックライトと、前記バックライトの点灯を制御する点灯制御回路と、前記第１走査線駆動回路と前記第２走査線駆動回路と前記点灯制御回路とを制御する表示制御回路とを備える液晶表示装置であって、Ｍを２以上の整数（Ｍ≧２）とするとき、前記複数の第１走査線は、Ｍ個のグループに分割され、Ｎを２以上の整数（Ｎ≧２）とするとき、前記複数の第２走査線は、Ｎ個のグループに分割され、前記バックライトは、前記複数の第１走査線に対応する領域が、Ｍ個の領域に分割されるとともに、前記複数の第２走査線に対応する領域が、Ｎ個の領域に分割され、前記点灯制御回路は、前記第１走査線駆動回路が、前記複数の第１走査線のｊ（１≦ｊ≦Ｍ）番目のグループ内の前記第１走査線に選択走査電圧を供給しているときに、前記バックライトのｊ番目の領域を消灯し、ｊ番目のグループ内の前記第１走査線に選択走査電圧を供給していないときに、前記バックライトのｊ番目の領域を点灯し、かつ、前記第２走査線駆動回路が、前記複数の第２走査線のｋ（１≦ｋ≦Ｎ）番目のグループ内の前記第２走査線に選択走査電圧を供給しているときに、前記バックライトのｋ番目の領域を消灯し、ｋ番目のグループ内の前記第２走査線に選択走査電圧を供給していないときに、前記バックライトのｋ番目の領域を点灯し、前記Ｍ番目の領域と前記Ｎ番目の領域は隣接し、前記Ｍ番目の領域と前記Ｎ番目の領域の両方が点灯するときの点灯時間は、前記ｊ（１≦ｊ≦Ｍ−１）番目の領域と前記ｋ（１≦ｋ≦Ｎ−１）番目の領域が点灯するときの点灯時間よりも短い。
【０００６】
（２）（１）において、前記液晶表示パネルは、前記複数の第１走査線と交差する複数の第１映像線と、前記複数の第２走査線と交差する複数の第２映像線とを有し、前記複数の第１映像線と前記複数の第２映像線のそれぞれは、１本の映像線を、前記複数の第１走査線と前記複数の第２走査線との間で切断したように配置されている。
【０００７】
（３）（１）または（２）において、前記複数の第１映像線に映像電圧を供給する少なくとも１個の第１映像線駆動回路と、前記複数の第２映像線に映像電圧を供給する少なくとも１個の第２映像線駆動回路とを有し、前記第１映像線駆動回路と前記第２映像線駆動回路とは、前記液晶表示パネルの相対向する２辺に配置され、前記第１映像線駆動回路から前記第２映像線駆動回路に向かう方向を第１走査方向、前記第２映像線駆動回路から前記第１映像線駆動回路に向かう方向を第２走査方向とするとき、前記第１走査線駆動回路から前記複数の第１走査線の前記各走査線に順次選択走査電圧を供給する方向は、前記第１走査方向であり、前記第２走査線駆動回路から前記複数の第２走査線の前記各走査線に順次選択走査電圧を供給する方向は、前記第２走査方向である。
（４）（１）または（２）において、前記複数の第１映像線に映像電圧を供給する少なくとも１個の第１映像線駆動回路と、前記複数の第２映像線に映像電圧を供給する少なくとも１個の第２映像線駆動回路とを有し、前記第１映像線駆動回路と前記第２映像線駆動回路とは、前記液晶表示パネルの相対向する２辺に配置され、前記第１映像線駆動回路から前記第２映像線駆動回路に向かう方向を第１走査方向、前記第２映像線駆動回路から前記第１映像線駆動回路に向かう方向を第２走査方向とするとき、前記第１走査線駆動回路から前記複数の第１走査線の前記各走査線に順次選択走査電圧を供給する方向は、前記第２走査方向であり、前記第２走査線駆動回路から前記複数の第２走査線の前記各走査線に順次選択走査電圧を供給する方向は、前記第１走査方向である。
【０００８】
（５）（１）ないし（４）の何れかにおいて、前記バックライトのｊ番目の領域、およびｋ番目の領域は、少なくとも１個の冷陰極蛍光灯を有し、前記点灯制御回路は、前記バックライトのｊ番目の領域、およびｋ番目の領域における、前記少なくとも１個の冷陰極蛍光灯の消灯・点灯を制御する。
（６）（１）ないし（５）の何れかにおいて、前記バックライトのｊ番目の領域、およびｋ番目の領域は、少なくとも１個の発光ダイオードを有し、前記点灯制御回路は、前記バックライトのｊ番目の領域、およびｋ番目の領域における、前記少なくとも１個の発光ダイオードの消灯・点灯を制御する。
【発明の効果】
【０００９】
本願において開示される発明のうち代表的なものによって得られる効果を簡単に説明すれば、下記の通りである。
本発明によれば、２行同時駆動方法と、スキャンバックライト駆動方法とを同時に採用した液晶表示装置を提供することが可能となる。
【発明を実施するための最良の形態】
【００１０】
以下、図面を参照して本発明の実施例を詳細に説明する。
なお、実施例を説明するための全図において、同一機能を有するものは同一符号を付け、その繰り返しの説明は省略する。
図１は、本発明の実施例の液晶表示装置の概略構成を示すブロック図である。本実施例の液晶表示装置は、液晶表示パネル（ＬＣＤ）と、直下型バックライト（ＢＬ）とを有する。
液晶表示パネル（ＬＣＤ）は、第１基板（ＳＵＢ１）と第２基板（ＳＵＢ２）とを有し、第１基板（ＳＵＢ１）には、薄膜トランジスタ、画素電極などが形成され、第２基板（ＳＵＢ２）には、遮光膜、カラーフィルタなどが形成される。なお、対向電極は、ＩＰＳ方式などの横電界方式の液晶表示パネル（ＬＣＤ）であれば、第１基板（ＳＵＢ１）に形成され、ＶＡ方式などの縦電界方式の液晶表示パネル（ＬＣＤ）であれば、第２基板（ＳＵＢ２）に形成される。
液晶表示パネル（ＬＣＤ）は、第１基板（ＳＵＢ１）と第２基板（ＳＵＢ２）とをシール材を介して貼り合わせ、第１基板（ＳＵＢ１）と第２基板（ＳＵＢ２）との間に液晶を注入・封止して構成される。また、第１基板（ＳＵＢ１）と第２基板（ＳＵＢ２）の外側にはそれぞれ偏光板が設けられる。
なお、本発明は、液晶表示パネル（ＬＣＤ）の構造とは直には関係がないので、液晶表示パネル（ＬＣＤ）の構造については省略する。
【００１１】
第１基板（ＳＵＢ１）の相対向する２つの長辺側の周辺には、第１映像線駆動回路（３０ａ）と第２映像線駆動回路（３０ｂ）とが配置される。第１映像線駆動回路（３０ａ）と第２映像線駆動回路（３０ｂ）とは、表示制御回路（タイミングコントローラ）１０により、制御・駆動される。
また、第１基板（ＳＵＢ１）の１つの短辺側の周辺には、第１走査線駆動回路（２０ａ）と第２走査線駆動回路（２０ｂ）とが配置される。第１走査線駆動回路（２０ａ）と第２走査線駆動回路（２０ｂ）とは、表示制御回路（タイミングコントローラ）１０により、制御・駆動される。
なお、図１では、第１映像線駆動回路（３０ａ）と第２映像線駆動回路（３０ｂ）とは、２個の映像線駆動回路（半導体チップ）で構成される場合について説明したが、第１映像線駆動回路（３０ａ）と第２映像線駆動回路（３０ｂ）とは、１個の映像線駆動回路、あるいは、３個以上の映像線駆動回路で構成するようにしてもよい。また、映像線駆動回路は、第１基板（ＳＵＢ１）上ではなく、第１基板（ＳＵＢ１）に接続されたフレキシブル基板上に配置されたものでも良い。
また、図１では、第１走査線駆動回路（２０ａ）と第２走査線駆動回路（２０ｂ）とは、１個の走査線駆動回路（半導体チップ）で構成される場合について説明したが、第１走査線駆動回路（２０ａ）と第２走査線駆動回路（２０ｂ）とは、複数の走査線駆動回路で構成するようにしてもよい。また、走査線駆動回路は、第１基板（ＳＵＢ１）上ではなく、第１基板（ＳＵＢ１）に接続されたフレキシブル基板上に配置されたものでも良い。
なお、後述するが、走査線は、６つのグループにグループ分けされている。また、バックライト（ＢＬ）は、走査線の各グループ分けに対応して、６つの領域に分割され、当該６つの領域のそれぞれは、点灯制御回路５０により独立に制御・駆動される。
【００１２】
図２は、図１に示す液晶表示パネル（ＬＣＤ）の構成を説明するためのブロック図である。
液晶表示パネル（ＬＣＤ）は上下２分割され、当該２分割された上半分には、第１走査線（ＧＬ１〜ＧＬｍ）が配置され、下半分には、第２走査線（ＧＬ（ｍ＋１）〜ＧＬ（ｍ＋ｎ））が配置される。なお、ｍ、ｎは、２以上の整数である。
なお、後述するが、第１走査線（ＧＬ１〜ＧＬｍ）、および、第２走査線（ＧＬ（ｍ＋１）〜ＧＬ（ｍ＋ｎ））は、それぞれ３つのグループにグループ分けされている。即ち、走査線は、６つのグループにグループ分けされている。
また、液晶表示パネル（ＬＣＤ）の上下２分割された上半分には、第１走査線（ＧＬ１〜ＧＬｍ）と交差するように、第１映像線（ＤＬａ）が配置され、さらに、液晶表示パネル（ＬＣＤ）の上下２分割された下半分には、第２走査線（ＧＬ（ｍ＋１）〜ＧＬ（ｍ＋ｎ））と交差するように、第２映像線（ＤＬｂ）が配置される。
第１映像線（ＤＬａ）は、第１映像線駆動回路３０ａに接続され、第２映像線（ＤＬｂ）は、第２映像線駆動回路３０ｂに接続される。第１走査線（ＧＬ１〜ＧＬｍ）は、第１走査線駆動回路２０ａに接続され、第２走査線（ＧＬ（ｍ＋１）〜ＧＬ（ｍ＋ｎ））は、第２走査線駆動回路２０ｂに接続される。
【００１３】
図２に示す液晶表示パネル（ＬＣＤ）において、列方向に配置された各画素の薄膜トランジスタ（ＴＦＴ）のドレイン電極（または、ソース電極）は、映像線（ＤＬａ，ＤＬｂ）に接続され、各映像線（ＤＬａ，ＤＬｂ）は列方向に配置された画素の画素電極（ＰＸ）に、表示データに対応する階調電圧を供給する。
また、行方向に配置された各画素における薄膜トランジスタ（ＴＦＴ）のゲート電極は、それぞれ走査線（ＧＬ１〜ＧＬ（ｍ＋ｎ））に接続され、各走査線（ＧＬ１〜ＧＬ（ｍ＋ｎ））は、１水平走査時間、薄膜トランジスタ（ＴＦＴ）のゲート電極に選択走査電圧を供給し、それ以外の期間に、非選択走査電圧を供給する。
なお、図２において、ＬＣは、液晶層を等価的に示す液晶容量、Ｃａｄｄは、画素電極（ＰＸ）と、Ｖｃｏｍの駆動電圧が供給される対向電極との間に形成される保持容量である。
【００１４】
表示制御回路１０は、フレームメモリ１１を有し、本体側から送信されてくるドットクロック（ＣＬＯＣＫ）、垂直同期信号（Ｖｓｙｎｃ）、水平同期信号（Ｈｓｙｎｃ）、ディスプレイタイミング信号（ＤＴＭＧ）の各表示制御信号および表示用デ−タ（Ｒ・Ｇ・Ｂ）を基に、第１映像線駆動回路３０ａ、第２映像線駆動回路３０ｂ、第１走査線駆動回路２０ａ、および、第２走査線駆動回路２０ｂを制御・駆動する。
第１走査線駆動回路２０ａは、例えば、第１走査線（ＧＬ１〜ＧＬｍ）を上から下に向かって（ＧＬ１→ＧＬ２...の順番で）選択し、同時に、第２走査線駆動回路２０ｂは、例えば、第２走査線（ＧＬ（ｍ＋１）〜ＧＬ（ｍ＋ｎ））を上から下に向かって（ＧＬ（ｍ＋１）→ＧＬ（ｍ＋２）...の順番で）選択し、一方で、ある走査線の選択期間中に、第１映像線駆動回路３０ａは、表示データに対応する階調電圧を、第１映像線（ＤＬａ）に供給し、かつ、第２映像線駆動回路３０ｂは、表示データに対応する階調電圧を、第２映像線（ＤＬｂ）に供給し、画素電極（ＰＸ）に印加する。
即ち、第１走査線駆動回路２０ａ、および、第２走査線駆動回路２０ｂは、一水平走査期間（１Ｈ）の間、Ｈｉｇｈレベル（以下、Ｈレベル）の選択走査電圧を薄膜トランジスタ（ＴＦＴ）のゲート電極に印加し、各走査線に接続された全ての薄膜トランジスタ（ＴＦＴ）をオンの状態、即ち、選択状態とすることで、第１映像線駆動回路３０ａ、および、第２映像線駆動回路３０ｂから出力された階調電圧を画素電極（ＰＸ）に入力する。
逆に、Ｌｏｗレベル（以下、Ｌレベル）の非選択走査電圧の場合、走査線に接続された全ての薄膜トランジスタ（ＴＦＴ）はオフ状態、即ち、非選択状態となる。
これにより、最終的に、保持容量（Ｃｓｔｇ）と、液晶容量（ＬＣ）に電荷がチャージされ、液晶分子をコントロールすることにより画像が表示される。
【００１５】
図３は、図１に示すバックライト（ＢＬ）の構成を説明するためのブロック図である。
図３（ａ）に示すように、点灯制御回路５０は、インバータ制御回路４１とインバータ回路４２とで構成される。
また、図３（ｂ）に示すように、バックライト（ＢＬ）は、６個の冷陰極蛍光灯（ＣＦＬ）と、反射板を兼ねるフレーム５３と、冷陰極蛍光灯（ＣＦＬ）の液晶表示パネル（ＬＣＤ）側に配置される導光板５１と、導光板５１上に配置される、レンズシート、拡散シートなどの光学シート類５２から構成される。
前述したように、バックライト（ＢＬ）は、液晶表示パネル（ＬＣＤ）の走査線の各グループ分けに対応して、６つの領域（ＢＬ−Ａ〜ＢＬ−Ｆ）に分割され、当該６つの領域（ＢＬ−Ａ〜ＢＬ−Ｆ）のそれぞれに、１つの冷陰極蛍光灯（ＣＦＬ）が配置される。
インバータ制御回路４１は、表示制御回路１０からの点灯制御信号（ＳＢＬ）に基づき、６つの領域（ＢＬ−Ａ〜ＢＬ−Ｆ）のそれぞれの冷陰極蛍光灯（ＣＦＬ）を、独立に制御・駆動する。
なお、６つの領域（ＢＬ−Ａ〜ＢＬ−Ｆ）のそれぞれには、２つ以上の冷陰極蛍光灯（ＣＦＬ）を配置するようにしてもよい。
【００１６】
図４は、本発明の実施例の液晶表示パネル（ＬＣＤ）と、バックライト（ＢＬ）のグループ分けを説明するための図である。
図４に示すように、液晶表示パネル（ＬＣＤ）は上下２分割され、当該２分割された上半分の第１走査線（ＧＬ１〜ＧＬｍ）は、Ａ、Ｂ、Ｃの３つのグループにグループ分けされ、また、当該２分割された下半分は、Ｄ、Ｅ、Ｆの３つのグループにグループ分けされている。
図４では、Ａのグループは、１番目〜ｍ／３番目の第１走査線（ＧＬ１〜ＧＬ（ｍ／３））で構成され、Ｂのグループは、（ｍ／３＋１）番目〜（２ｍ／３）番目の第１走査線（ＧＬ（ｍ／３＋１）〜ＧＬ（２ｍ／３））で構成され、Ｃのグループは、（２ｍ／３＋１）番目〜ｍ番目の第１走査線（ＧＬ（２ｍ／３＋１）〜ＧＬｍ）で構成される。
さらに、Ｄのグループは、１番目〜ｍ／３番目の第２走査線（ＧＬ（ｍ＋１）〜ＧＬ（ｍ＋ｎ／３））で構成され、Ｅのグループは、（ｍ＋ｎ／３＋１）番目〜（ｍ＋２ｎ／３）番目の第２走査線（ＧＬ（ｍ＋ｎ／３＋１）〜ＧＬ（ｍ＋２ｎ／３））で構成され、Ｆのグループは、（ｍ＋２ｎ／３＋１）番目〜ｍ番目の第２走査線（ＧＬ（ｍ＋２ｎ／３＋１）〜ＧＬｎ）で構成される。
また、バックライト（ＢＬ）は、液晶表示パネル（ＬＣＤ）の走査線の各グループ分けに対応して、６つの領域（ＢＬ−Ａ〜ＢＬ−Ｆ）に分割されているが、図４に示すように、バックライト（ＢＬ）のＢＬ−Ａの領域は、Ａのグループに対応し、同様に、バックライト（ＢＬ）のＢＬ−Ｂの領域は、Ｂのグループに、バックライト（ＢＬ）のＢＬ−Ｃの領域は、Ｃのグループに、バックライト（ＢＬ）のＢＬ−Ｄの領域は、Ｄのグループに、バックライト（ＢＬ）のＢＬ−Ｅの領域は、Ｅのグループに、バックライト（ＢＬ）のＢＬ−Ｆの領域は、Ｆのグループに、それぞれ対応する。
なお、図４では、液晶表示パネル（ＬＣＤ）の２分割された上半分と下半分とを、それぞれ３つのグループにグループ分けした場合を図示しているが、本発明は、これに限定されるものではなく、グループ数は２つ以上であればよく、また、液晶表示パネル（ＬＣＤ）の２分割された上半分と下半分のグループ数は異なっていてもよく、さらに、各グループ内の走査線数は、全グループで同一でも、各グループ毎に異なっていてもよい。
【００１７】
図５（ａ）は、本発明の実施例の液晶表示装置の駆動方法の一例を説明するための図である。
本実施例の液晶表示装置は、２行同時駆動方法を採用している。図５（ａ）の駆動方法では、１フレーム（ＦＬＡＭ）内に、第１走査線駆動回路２０ａは、Ａ→Ｂ→Ｃのグループ順に、複数の第１走査線（ＧＬ１〜ＧＬｍ）の中から順次１つの走査線に選択走査電圧を供給し、同時に、第２走査線駆動回路２０ｂは、Ｄ→Ｅ→Ｆのグループ順に、複数の第２走査線（ＧＬｍ〜ＧＬ（ｍ＋ｎ））の中から順次１つの走査線に選択走査電圧を供給する。
また、インバータ制御回路４１は、Ａ〜Ｆのグループ内の走査線に選択走査電圧が供給されているときに、Ａ〜Ｆの各グループに対応する領域の冷陰極蛍光灯（ＣＦＬ）を消灯し、Ａ〜Ｆのグループ内の走査線に選択走査電圧が供給されていないときに、Ａ〜Ｆの各グループに対応する領域の冷陰極蛍光灯（ＣＦＬ）を点灯する。
例えば、第１走査線駆動回路２０ａからＡのグループの第１走査線（ＧＬ１〜ＧＬ（ｍ／３））に選択走査電圧に供給されているときに、バックライト（ＢＬ）の（ＢＬ−Ａ）の領域が消灯状態となり、第１走査線駆動回路２０ａからＡのグループの第１走査線（ＧＬ１〜ＧＬ（ｍ／３））に選択走査電圧に供給されていないときに、バックライト（ＢＬ）の（ＢＬ−Ａ）の領域が点灯状態となる。
同様に、第２走査線駆動回路２０ｂからＤのグループの第１走査線（ＧＬｍ〜ＧＬ（ｍ＋ｎ／３））に選択走査電圧に供給されているときに、バックライト（ＢＬ）の（ＢＬ−Ｄ）の領域が消灯状態となり、第２走査線駆動回路２０ｂからＤのグループの第１走査線（ＧＬｍ〜ＧＬ（ｍ＋ｎ／３））に選択走査電圧に供給されていないときに、バックライト（ＢＬ）の（ＢＬ−Ｄ）の領域が点灯状態となる。
【００１８】
図５（ｂ）は、本発明の実施例の液晶表示装置の駆動方法の他の例を説明するための図である。
図５（ｂ）の駆動方法では、１フレーム（ＦＬＡＭ）内に、第１走査線駆動回路２０ａは、Ａ→Ｂ→Ｃのグループ順に、複数の第１走査線（ＧＬ１〜ＧＬｍ）の中から順次１つの走査線に選択走査電圧を供給し、同時に、第２走査線駆動回路２０ｂは、Ｆ→Ｅ→Ｄのグループ順に、複数の第２走査線（ＧＬｍ〜ＧＬ（ｍ＋ｎ））の中から順次１つの走査線に選択走査電圧を供給する点で、図５（ａ）に示す駆動方法と異なっている。
図５（ｃ）は、本発明の実施例の液晶表示装置の駆動方法の他の例を説明するための図である。
図５（ｃ）の駆動方法では、１フレーム（ＦＬＡＭ）内に、第１走査線駆動回路２０ａは、Ｃ→Ｂ→Ａのグループ順に、複数の第１走査線（ＧＬ１〜ＧＬｍ）の中から順次１つの走査線に選択走査電圧を供給し、同時に、第２走査線駆動回路２０ｂは、Ｄ→Ｅ→Ｆのグループ順に、複数の第２走査線（ＧＬｍ〜ＧＬ（ｍ＋ｎ））の中から順次１つの走査線に選択走査電圧を供給する点で、図５（ａ）に示す駆動方法と異なっている。
図５（ｂ）、図５（ｃ）に示すように、図５（ｂ）、図５（ｃ）に示す駆動方法では、バックライト（ＢＬ）の（ＢＬ−Ｃ）の領域と、（ＢＬ−Ｄ）の領域とは、同時に消灯、点灯状態となる。
そのため、観察者は、バックライト（ＢＬ）の（ＢＬ−Ｃ）の領域と、（ＢＬ−Ｄ）の領域とは、その他の領域より明るく感じられる。
これを防止するためには、バックライト（ＢＬ）の（ＢＬ−Ｃ）の領域と、（ＢＬ−Ｄ）の領域の点灯期間（図５（ｂ）、図５（ｃ）に示すＴＡの期間）を、他の領域（ＢＬ−Ａ，ＢＬ−Ｂ，ＢＬ−Ｅ，ＢＬ−Ｆ）よりも短くするようにしている。
【００１９】
なお、本実施例において、冷陰極蛍光灯（ＣＦＬ）を有する直下型バックライト（ＢＬ）に代えて、発光ダイオード（ＬＥＤ）を有する直下型バックライト（ＢＬ）を用いるようにしてもよい。
図６に、発光ダイオード（ＬＥＤ）を有する直下型バックライト（ＢＬ）の一例を示す。
図６（ａ）において、図１に示す点灯制御回路５０は、ＬＥＤドライバ制御回路４３とＬＥＤドライバ４４とで構成される。
また、図６（ａ）において、ＬＤＦは、発光ダイオード列であり、この発光ダイオード列（ＬＤＦ）は、図６（ｂ）に示すように、配線層が形成された基板（ＳＵＢ）と、基板（ＳＵＢ）上に配置された複数個の白色発光ダイオード（ＬＥＤ）で構成される。
ＬＥＤドライバ制御回路４３は、表示制御回路１０からの点灯制御信号（ＳＢＬ）に基づき、６つの領域（ＢＬ−Ａ〜ＢＬ−Ｆ）のそれぞれの発光ダイオード列（ＬＤＦ）を、独立に制御・駆動する。
このように、本実施例によれば、２行同時駆動方法と、スキャンバックライト駆動方法とを同時に採用した液晶表示装置を提供することが可能となる。
以上、本発明者によってなされた発明を、前記実施例に基づき具体的に説明したが、本
発明は、前記実施例に限定されるものではなく、その要旨を逸脱しない範囲において種々変更可能であることは勿論である。
【図面の簡単な説明】
【００２０】
【図１】本発明の実施例の液晶表示装置の概略構成を示すブロック図である。
【図２】図１に示す液晶表示パネルの構成を説明するためのブロック図である。
【図３】図１に示すバックライトの構成を説明するためのブロック図である。
【図４】本発明の実施例の液晶表示パネルと、バックライトのグループ分けを説明するための図である。
【図５（ａ）】本発明の実施例の液晶表示装置の駆動方法の一例を説明するための図である。
【図５（ｂ）】本発明の実施例の液晶表示装置の駆動方法の他の例を説明するための図である。
【図５（ｃ）】本発明の実施例の液晶表示装置の駆動方法の他の例を説明するための図である。
【図６】発光ダイオードを有する直下型バックライトの一例を示す図である。
【符号の説明】
【００２１】
１０  表示制御回路（タイミングコントローラ）
１１  フレームメモリ
２０ａ  第１走査線駆動回路
２０ｂ  第２走査線駆動回路
３０ａ  第１映像線駆動回路
３０ｂ  第２映像線駆動回路
４１  インバータ制御回路
４２  インバータ回路
４３  ＬＥＤドライバ制御回路
４４  ＬＥＤドライバ
５０  点灯制御回路
５１  導光板
５２  光学シート類
５３  フレーム
ＬＣＤ  液晶表示パネル
ＳＵＢ１  第１基板
ＳＵＢ２  第２基板
ＢＬ  直下型バックライト
ＤＬａ，ＤＬｂ  映像線
ＧＬ  走査線
ＰＸ  画素電極
ＴＦＴ  薄膜トランジスタ
ＬＣ  液晶容量
Ｃａｄｄ  保持容量
ＣＦＬ  冷陰極蛍光灯
ＬＥＤ  白色発光ダイオード
ＬＤＦ  発光ダイオード列
【図１】
0005191711.tif 000002
【図２】
0005191711.tif 000003
【図３】
0005191711.tif 000004
【図４】
0005191711.tif 000005
【図５（ａ）】
0005191711.tif 000006
【図５（ｂ）】
0005191711.tif 000007
【図５（ｃ）】
0005191711.tif 000008
【図６】
0005191711.tif 000009